(57)【要約】【課題】簡単にデータのコピー先フォルダを分類する。【解決手段】ストレージ装置１は、ＤＳＣ２とデータの送受を行うＩ／Ｆ部２１と、Ｉ／Ｆ部２１からのデータをドライバ２２を介して記録媒体２３に記録する記録制御部２４と、記録制御部２４に対してダイレクトコピーを指示するコピー開始ＳＷ３とを備えて構成される。記録制御部２４はＤＳＣ２の画像処理部１２から送られる所定のファイルシステムにより生成されたファイル／フォルダの作成日時を抽出し、ダイレクトコピーのコピー先フォルダの作成日時情報とする。【選択図】  図３
2004355579.tif 000002
【特許請求の範囲】
【請求項１】
データ記録再生装置に所定のファイルシステムにより記録されるデータファイル／フォルダをダイレクトコピーして記録・保存するストレージ装置において、
ダイレクトコピー開始時に前記データファイル／フォルダを格納するコピー先フォルダを作成するフォルダ作成手段と、
前記ファイルシステムより生成された前記データファイル／フォルダの作成日時情報を抽出する日時情報抽出手段と、
前記コピー先フォルダの作成日時情報を前記日時情報抽出手段が抽出した日時情報に基づき設定するフォルダ日時設定手段と
を備えたことを特徴とするストレージ装置。
【請求項２】
前記フォルダ日時設定手段は、ダイレクトコピーするデータファイル／フォルダの作成日時の最も新しい日時を前記コピー先フォルダの作成日時情報に設定する
ことを特徴とする請求項１に記載のストレージ装置。
【請求項３】
前記フォルダ日時設定手段は、ダイレクトコピーするデータファイル／フォルダの作成日時の最も古い日時を前記コピー先フォルダの作成日時情報に設定する
ことを特徴とする請求項１に記載のストレージ装置。
【請求項４】
前記フォルダ日時設定手段は、前記データ記録再生装置の初期化日時あるいは前記データ記録再生装置が最初に作成した特定データファイル／フォルダの作成日時を前記コピー先フォルダの作成日時情報に設定する
ことを特徴とする請求項１に記載のストレージ装置。
【請求項５】
前記データ記録再生装置は、映像データ及び／または音声データを記録する
ことを特徴とする請求項１に記載のストレージ装置。
【請求項６】
データ記録再生装置に所定のファイルシステムにより記録されるデータファイル／フォルダをダイレクトコピーして記録・保存するダイレクトコピー方法において、
ダイレクトコピー開始時に前記データファイル／フォルダを格納するコピー先フォルダを作成するフォルダ作成工程と、
前記ファイルシステムより生成された前記データファイル／フォルダの作成日時情報を抽出する日時情報抽出工程と、
前記コピー先フォルダの作成日時情報を前記日時情報抽出工程が抽出得した日時情報に基づき設定するフォルダ日時設定工程と
を備えたことを特徴とするダイレクトコピー方法。
【発明の詳細な説明】
【０００１】
【発明の属する技術分野】
本発明は、データ記録再生装置に記録されるデータをダイレクトコピーして記録・保存するストレージ装置及びダイレクトコピー方法に関する。
【０００２】
【従来の技術】
従来、デジタルスチルカメラにより収録された画像データや音声データを、カメラに内蔵されたメモリやメモリカードとは別の記録媒体（ＭＯ、ＣＤ−Ｒ、ＣＤ−ＲＷなど）に記録するための専用のストレージ装置においては、撮影した日付や撮影に使用した機種などに関わらず、同時に選択された複数のデータは同一のフォルダ内に格納して記録していた。その際、各フォルダは、撮影した日付や撮影に使用した機種などが共通もしくは関連するデータと無関係に生成されていた。
【０００３】
従来のストレージ装置においては、撮影した日付や撮影に使用した機種が異なる場合でも、同時に選択された複数のデータは同一のフォルダ内に格納して記録されていたため、記録媒体の容量が大きくなればなるほど、記録後に希望するデータを探し出し難くなるという問題があった。
【０００４】
そこで、例えば特開２００１−５７０５６号公報では、記録するデータに添付される属性、例えば作成日付情報を抽出してフォルダを分類するストレージ装置を提案している。
【０００５】
【特許文献１】
特開２００１−５７０５６号公報
【０００６】
【発明が解決しようとする課題】
しかしながら、上記特開２００１−５７０５６号公報提案のようなデータ記録装置においては、データの記録するデータに添付される属性を抽出するためには、データを作成したアプリケーションソフトを認識できなければならず、異なる複数の形式のデータに対してそれぞれのアプリケーションソフト認識手段を備える必要があるといった問題がある。
【０００７】
また、この特開２００１−５７０５６号公報では、属性がデータに添付されることを前提にしているが、必ずしも属性がデータに添付されるとは限らず、属性が抽出できない場合もある。
【０００８】
本発明は、上記事情に鑑みてなされたものであり、簡単にデータのコピー先フォルダを分類することのできるストレージ装置を提供することを目的としている。
【０００９】
【課題を解決するための手段】
本発明のストレージ装置は、データ記録再生装置に所定のファイルシステムにより記録されるデータファイル／フォルダをダイレクトコピーして記録・保存するストレージ装置において、ダイレクトコピー開始時に前記データファイル／フォルダを格納するコピー先フォルダを作成するフォルダ作成手段と、前記ファイルシステムより生成された前記データファイル／フォルダの作成日時情報を抽出する日時情報抽出手段と、前記コピー先フォルダの作成日時情報を前記日時情報抽出手段が抽出した日時情報に基づき設定するフォルダ日時設定手段とを備えて構成される。
【００１０】
【発明の実施の形態】
以下、図面を参照しながら本発明の実施の形態について述べる。
【００１１】
図１ないし図５は本発明の第１の実施の形態に係わり、図１はストレージ装置によるダイレクトコピー時の接続形態を示す図、図２は図１のＤＳＣの背面構成を示す図、図３は図１のストレージ装置及びＤＳＣの構成を示す図、図４は図３の記録制御部の処理の流れを説明するフローチャート、図５は図４の処理を説明する図である。
【００１２】
図１に示すように、本実施の形態のストレージ装置１は、日時情報を有するデジタルスチルカメラ（以下、ＤＳＣ）２と接続され、コピー開始ＳＷ３を押下することでＤＳＣ２で撮影された画像データをダイレクトコピーするようになっている。図２に示すように、ＤＳＣ２の背面には、撮影した画像を表示したり各種設定画面を表示する液晶表示部４が設けられている。
【００１３】
図３に示すように、ＤＳＣ２は、画像を撮像する撮像部１１と、撮像した画像を画像処理する画像処理部１２と、画像処理した画像や各種設定画面を表示する前記液晶表示部４と、撮影や各種設定を行う操作ＳＷ１３と、画像処理した画像データを所定のファイルシステム（ＦＡＴ３２等）で記録する記録部１４と、ストレージ装置１とデータの送受を行うＩ／Ｆ部１５とを備え、画像処理部１２は内蔵するタイマー１６により日時情報を有して記録部１４でのデータの管理を行っている。
【００１４】
一方、ストレージ装置１は、ＤＳＣ２とデータの送受を行うＩ／Ｆ部２１と、Ｉ／Ｆ部２１からのデータをドライバ２２を介して記録媒体２３に記録する記録制御部２４と、記録制御部２４に対してダイレクトコピーを指示するコピー開始ＳＷ３とを備えて構成される。記録制御部２４は、ＤＳＣ２の画像処理部１２から送られるファイル／フォルダに関し、所定のファイルシステムにより生成された該ファイル／フォルダの作成日時を抽出し、ダイレクトコピーのコピー先フォルダの作成日時情報とする。
【００１５】
このように構成された本実施の形態の作用について説明する。
【００１６】
図４に示すように、ストレージ装置１の記録制御部２４は、ステップＳ１でコピー開始ＳＷ３が押下されると、ステップＳ２でコピー先フォルダを作成し、フォルダ作成日時を最小値とする。
【００１７】
そして、ステップＳ３でＤＳＣ２からファイル／フォルダを１つリードしてコピー先フォルダにコピーし、ステップＳ４でファイル／フォルダの作成日時を抽出してファイル／フォルダの作成日時とコピー先フォルダの作成日時とを比較する。
【００１８】
そして、ファイル／フォルダの作成日時がコピー先フォルダの作成日時より新しい場合は、ステップＳ５でコピー先フォルダの作成日時をファイル／フォルダの作成日時としてステップＳ６に進み、ファイル／フォルダの作成日時がコピー先フォルダの作成日時より新しくない場合、そのままステップＳ６に進み、ステップＳ６で全てのファイル／フォルダのコピーが終了したかどうか判断する。
【００１９】
全てのファイル／フォルダのコピーが終了までステップＳ３〜Ｓ６を繰り返し、全てのファイル／フォルダのコピーが終了すると、ステップＳ７でＤＳＣ２にコピー先フォルダのフォルダ名及びフォルダ作成日時を送信し、液晶表示部４に表示させて処理を終了する。
【００２０】
このような処理により、図５に示すように、ＤＳＣ２に格納されているコピー元のファイル／フォルダは、最新のコピー元のファイル／フォルダの日時情報を有する記録媒体２３上のコピー先フォルダに記録でき、該日時情報に基づきコピー先フォルダが分類でき、記録媒体２３に記録されたコピー先フォルダを日時情報により容易に検索することが可能となる。
【００２１】
図６及び図７は本発明の第２の実施の形態に係わり、図６は記録制御部の処理の流れを説明するフローチャート、図７は図６の処理を説明する図である。
【００２２】
第２の実施の形態は、構成は第１の実施の形態と同じであり、ダイレクトコピー処理のみ異なるので、異なる点のみ説明する。なお、本実施の形態では、ＤＳＣ２及びストレージ装置１はＰＴＰ（Ｐｉｃｔｕｒｅ  Ｔｒａｎｓｆｅｒ  Ｐｒｏｔｏｃｏｌ）によりデータの送受を行うものとする。
【００２３】
本実施の形態では、図６に示すように、ステップＳ２１でＤＳＣ２の液晶表示部４でストレージ装置１にコピーするファイルが選択され、ステップＳ２２で操作ＳＷ１３によりコピー実行要求がなされると、ステップＳ２３でＤＳＣ２において選択された全てのファイルのうち最も古いファイルの作成日時を検出されフォルダ作成日時情報とし、ステップＳ２４で全てのファイルと作成するフォルダのフォルダ日時情報を含むコピー要求リストがストレージ装置１に送信される。
【００２４】
ストレージ装置１の記録制御部２４は、ステップＳ２５でコピー先フォルダを作成し、フォルダ作成を日時コピー要求リスト内のフォルダ日時情報とする。
【００２５】
そして、ステップＳ２６でＤＳＣ２からファイル／フォルダを１つリードしてコピー先フォルダにコピーし、全てのファイル／フォルダのコピーが終了までステップＳ２６〜Ｓ２７を繰り返し、全てのファイル／フォルダのコピーが終了すると、ステップＳ２８でＤＳＣ２にコピー先フォルダのフォルダ名及びフォルダ作成日時を送信し、液晶表示部４に表示させて処理を終了する。
【００２６】
このような処理により、図７に示すように、ＤＳＣ２に格納されているコピー元のファイル／フォルダは、ＤＳＣ２より送信されたコピー要求リストのフォルダ作成日時情報（フォルダ日時）を作成日時とするコピー先フォルダに記録される。
【００２７】
これにより、本実施の形態では、第１の実施の形態と同様な効果を得ることが出来る。
【００２８】
なお、ファイルの日時は記録時ではなくファイルリード時に行ってもよく、この場合ファイルコピー時にその都度一番古い日時を確認するように処理する。また選択された全てのファイルのうち最も古いファイルの作成日時の検出がはストレージ装置１で行ってもよい。
【００２９】
なお、第１の実施の形態では、ダイレクトコピーはストレージ装置１に設けられたコピー開始ＳＷ３の押下により行われるとしたが、本実施の形態では、ＤＳＣ２側でダイレクトコピーするファイルを選択してからダイレクトコピーを開始する例を説明するが、第１の実施の形態と同様にコピー開始ＳＷ３の押下によりダイレクトコピーを行う場合にも適用できることは言うまでもない。
【００３０】
図８及び図９は本発明の第３の実施の形態に係わり、図８は記録制御部の処理の流れを説明するフローチャート、図９は図８の処理を説明する図である。
【００３１】
第３の実施の形態は、構成は第１の実施の形態と同じであり、ダイレクトコピー処理のみ異なるので、異なる点のみ説明する。なお、本実施の形態では、ＤＳＣ２及びストレージ装置１はＰＴＰ（Ｐｉｃｔｕｒｅ  Ｔｒａｎｓｆｅｒ  Ｐｒｏｔｏｃｏｌ）によりデータの送受を行うものとする。
【００３２】
本実施の形態では、図８に示すように、ステップＳ３１でＤＳＣ２の液晶表示部４でストレージ装置１にコピーするファイルが選択され、ステップＳ３２で操作ＳＷ１３によりコピー実行要求がなされると、ステップＳ３３でＤＳＣ２においてルートディレクトリの最初のファイル／フォルダ（ＤＣＩＭ）の日時が検出され初期化日時情報とし、ステップＳ３４で全てのファイルと初期化日時情報を含むコピー要求リストがストレージ装置１に送信される。
【００３３】
ストレージ装置１の記録制御部２４は、ステップＳ３５でコピー先フォルダを作成し、フォルダ作成日時コピー要求リスト内の初期化日時情報とする。
【００３４】
そして、ステップＳ３６でＤＳＣ２からファイル／フォルダを１つリードしてコピー先フォルダにコピーし、全てのファイル／フォルダのコピーが終了までステップＳ３６〜Ｓ３７を繰り返し、全てのファイル／フォルダのコピーが終了すると、ステップＳ３８でＤＳＣ２にコピー先フォルダのフォルダ名及びフォルダ作成日時を送信し、液晶表示部４に表示させて処理を終了する。
【００３５】
このような処理により、図９に示すように、ＤＳＣ２に格納されているコピー元のファイル／フォルダは、ＤＳＣ２より送信されたコピー要求リストの初期化日時情報（初期化日時）を作成日時とするコピー先フォルダに記録される。
【００３６】
これにより、本実施の形態では、第１の実施の形態と同様な効果を得ることが出来る。
【００３７】
なお、第１の実施の形態では、ダイレクトコピーはストレージ装置１に設けられたコピー開始ＳＷ３の押下により行われるとしたが、本実施の形態では、ＤＳＣ２側でダイレクトコピーするファイルを選択してからダイレクトコピーを開始する例を説明するが、第１の実施の形態と同様にコピー開始ＳＷ３の押下によりダイレクトコピーを行う場合にも適用できることは言うまでもない。
【００３８】
図１０及び図１１は本発明の第４の実施の形態に係わり、図１０は記録制御部の処理の流れを説明するフローチャート、図１１は図１０の処理を説明する図である。
【００３９】
第４の実施の形態は、構成は第１の実施の形態と同じであり、ダイレクトコピー処理のみ異なるので、異なる点のみ説明する。なお、本実施の形態では、ＤＳＣ２及びストレージ装置１はＰＴＰ（Ｐｉｃｔｕｒｅ  Ｔｒａｎｓｆｅｒ  Ｐｒｏｔｏｃｏｌ）によりデータの送受を行うものとする。
【００４０】
本実施の形態では、図１０に示すように、ステップＳ４１でＤＳＣ２の液晶表示部４でストレージ装置１にコピーするファイルが選択され、ステップＳ４２で操作ＳＷ１３によりコピー実行要求がなされると、ステップＳ４３で液晶表示部４にフォルダ日時の候補が表示される。そして、ステップＳ４４でこの候補から日時が  ユーザにより選択されると、選択した候補日時を作成するフォルダのフォルダ日時情報として、ステップＳ４５で全てのファイルとフォルダ作成日時情報を含むコピー要求リストがストレージ装置１に送信される。
【００４１】
ストレージ装置１の記録制御部２４は、ステップＳ４６でコピー先フォルダを作成し、フォルダ作成日時コピー要求リスト内のフォルダ作成日時情報とする。
【００４２】
そして、ステップＳ４７でＤＳＣ２からファイル／フォルダを１つリードしてコピー先フォルダにコピーし、全てのファイル／フォルダのコピーが終了までステップＳ４７〜Ｓ４８を繰り返し、全てのファイル／フォルダのコピーが終了すると、ステップＳ４９でＤＳＣ２にコピー先フォルダのフォルダ名及びフォルダ作成日時を送信し、液晶表示部４に表示させて処理を終了する。
【００４３】
このような処理により、図１１に示すように、ＤＳＣ２に格納されているコピー元のファイル／フォルダは、ＤＳＣ２より送信されたユーザが選択したコピー要求リストのフォルダ作成日時情報（フォルダ日時）を作成日時とするコピー先フォルダに記録される。
【００４４】
これにより、本実施の形態では、第１の実施の形態と同様な効果を得ることが出来る。
【００４５】
なお、候補からの日時選択をコピー実行要求時に行ったが、コピー実行要求とは別の設定画面で、先に選択しておいても構わない。
【００４６】
本発明は、上述した実施の形態に限定されるものではなく、本発明の要旨を変えない範囲において、種々の変更、改変等が可能である。
【００４７】
【発明の効果】
以上説明したように本発明によれば、簡単にデータのコピー先フォルダを分類することができるという効果がある。
【図面の簡単な説明】
【図１】本発明の第１の実施の形態に係るストレージ装置によるダイレクトコピー時の接続形態を示す図
【図２】図１のＤＳＣの背面構成を示す図
【図３】図１のストレージ装置及びＤＳＣの構成を示す図
【図４】図３の記録制御部の処理の流れを説明するフローチャート
【図５】図４の処理を説明する図
【図６】本発明の第２の実施の形態に係る記録制御部の処理の流れを説明するフローチャート
【図７】図６の処理を説明する図
【図８】本発明の第３の実施の形態に係る記録制御部の処理の流れを説明するフローチャート
【図９】図８の処理を説明する図
【図１０】本発明の第４の実施の形態に係る記録制御部の処理の流れを説明するフローチャート
【図１１】図１０の処理を説明する図
【符号の説明】
１…ストレージ装置
２…ＤＳＣ
３…コピー開始ＳＷ
４…液晶表示部
１１…撮像部
１２…画像処理部
１３…操作ＳＷ
１４…記録部
１５，２１…Ｉ／Ｆ部
１６…タイマー
２２…ドライバ
２３…記録媒体
２４…記録制御部
【図１】
2004355579.tif 000003
【図２】
2004355579.tif 000004
【図３】
2004355579.tif 000005
【図４】
2004355579.tif 000006
【図５】
2004355579.tif 000007
【図６】
2004355579.tif 000008
【図７】
2004355579.tif 000009
【図８】
2004355579.tif 000010
【図９】
2004355579.tif 000011
【図１０】
2004355579.tif 000012
【図１１】
2004355579.tif 000013